(57)【要約】【課題】夫々のバインダーごとに綴じ込まれた用紙を完全に連続的に見開くことができ、手帳を閉じたときはコンパクトに収納することができるバインダー式連結手帳を提供することを目的とする。【解決手段】両側の表紙５、５とその間に設けられた背表紙６とを夫々の境界線７で折曲げ自在に形成した手帳本体８の背表紙６の内側にリング式バインダー９を固定してなるバインダー式手帳４を少なくとも２冊設け、夫々の手帳４ａ、４ｂを横方向に見開きの状態で左右に配列すると共に、左方の手帳４ａの右側縦辺１０ａと右方の手帳４ｂの左側縦辺１０ｂとを互いに接した状態にし、左右の手帳４ａ、４ｂが互いに接する辺を対接辺１０として、一方の手帳の対接辺１０から他方の手帳の表紙４ａへ延設されてなる連結片２を対接辺１０に沿って折曲げ自在に形成すると共に、連結片２と該連結片２に重なる他方の手帳４ａの右表紙５ａの中心とを係止軸３で回転自在に結合する。【選択図】図３
2011098559.tif 000002
【特許請求の範囲】
【請求項１】
両側の表紙とその間に設けられた背表紙とを夫々の境界線で折曲げ自在に形成した手帳本体の背表紙の内側にリング式バインダーを固定してなるバインダー式手帳を少なくとも２冊設け、
夫々の手帳を横方向に見開きの状態で左右に配列すると共に、左方の手帳の右側縦辺と右方の手帳の左側縦辺とを互いに接した状態にし、
左右の手帳が互いに接する辺を対接辺として、
一方の手帳の対接辺から他方の手帳の表紙へ延設されてなる単体の連結片又は一方の手帳の表紙を延長してなる連結片を対接辺に沿って折曲げ自在に形成すると共に、連結片と該連結片に重なる他方の手帳の表紙の略中心とを係止軸で回転自在に結合してなることを特徴とするバインダー式連結手帳。
【請求項２】
連結片は、一方の手帳とは別体をなす単体の薄板部材を用いて形成され、該連結片の片側に小幅の接合部をとって一方の手帳の端部に接合すると共に、一方の手帳の対接辺に沿って連結片を折曲げ自在に形成してなることを特徴とする請求項１記載のバインダー式連結手帳。
【請求項３】
連結片は、一方の手帳の対接辺から延長して該手帳の表紙と一体的に構成され、該連結片を対接辺に沿って折り曲げ自在に形成してなることを特徴とする請求項１記載のバインダー式連結手帳。
【請求項４】
一方の手帳の対接辺から他方の手帳の表紙へ延設されてなる単体の連結片又は一方の手帳の表紙を延長してなる連結片と、該連結片に重なる他方の手帳の表紙との各対接面に、係止軸を中心とする一定半径で十字方向の４箇所に互いに嵌合する凹部と凸部とが形成されたことにより、左右の手帳を横方向に並べるか、一方の手帳に対して片方の手帳を９０度又は１８０度回転したとき、夫々の凹部と凸部とが着脱自在に係止されるようにしたことを特徴とする請求項１、２又は３記載のバインダー式連結手帳。
【請求項５】
リング式バインダーのリングに綴じ込むための所定数の綴込穴が、各用紙の左右両側に沿って形成されていることにより、各用紙の裏表を反転した状態でバインダーのリングに綴じ込み可能としたことを特徴とする請求項１、２、３又は４記載のバインダー式連結手帳。
【請求項６】
リング式バインダーのリングに綴じ込んだ用紙を捲るのに用いる頁捲り用栞を備えたバインダー式連結手帳であって、
該頁捲り用栞は、長尺の弾性線材を細幅の平行形状に折返し形成してなる線形状の端部にリング係合部を形成すると共に、該リング係合部の内側に他のリング係合部を形成し、該線形状の端部とその内側のリング係合部の夫々をバインダーに隣設された２個の各リングに遊びを有する状態で係合可能とし、該線形状の途中を折曲形成すると共に、該線形状におけるリング係合部の形成された反対側端部にカバーを装着してなることを特徴とする請求項１、２、３、４又は５記載のバインダー式連結手帳。
【請求項７】
リング状バインダーのリングに綴じ込んだ用紙を捲るのに用いる頁捲り用栞を備えたバインダー式連結手帳であって、
該頁捲り用栞は、バインダーに隣設された２個のリングを囲繞する環状部と、該環状部から延長されると共に途中で折曲されてなる長尺の本体部とを有し、該本体部の端部に摘み片を設けたことを特徴とする請求項１、２、３、４又は５記載のバインダー式連結手帳。
【請求項８】
リング式バインダーのリングに綴じ込んだ用紙の下敷きとして用いることにより用紙とリングとの段差を少なくするようにしたリング段差防止用敷具を備えたバインダー式連結手帳であって、
該リング段差防止用敷具は、リング式バインダーのリングに綴じ込むための綴込穴を片側に沿って形成した基板と、該基板の綴込穴の反対側に設けられた折曲線を介して折曲げ自在に形成した支持板と、該支持板の自由端側に設けた折曲線を介して小幅の２片をその中間の折曲線で折曲げ自在に形成した高さ調整片と、該高さ調整片の自由端側に設けた折曲線を介して折曲げ自在に形成した案内片とを備え、
基板の下部に支持板を折り返した状態で、高さ調整片を断面山形状に形成した頂部の折曲線を基板の下面に当接するように折り曲げ、
案内片に対して係止軸で回動自在に結合した操作片を基板に穿設された案内穴に挿通すると共に、係止軸を支持板に形成された案内孔に沿って移動するように係合し、
操作片の側部に形成した係止溝と基板の案内穴に間隔をあけて形成した複数の係止溝とを操作片の押込み量に応じて互いに歯合し、
基板の綴込穴をリング式バインダーのリングに綴じ込むことによって、該基板でバインダーのリングに綴じ込んだ用紙の下面を支持した状態とし、
操作片の押込み量によって高さ調整片の高さを調整することにより支持板に対する基板の傾斜角を変え、用紙とリングとの段差を少なくするようにしたことを特徴とする請求項１、２、３、４、５、６又は７記載のバインダー式連結手帳。
【請求項９】
一方のバインダー式手帳の表紙に接合すべき表紙接合片と、他方のバインダー式手帳の表紙に接合すべき接合部と該接合部に対し折曲線を介して折曲げ自在に形成された連結部とを有する連結片とを備え、
表紙接合片と連結片の連結部とを重ね合わせた状態で表紙接合片の略中心に形成された軸穴と連結片の連結部の略中心に形成された軸穴とを係止軸で回動自在に接合してなる連結具を形成し、
表紙接合片を一方のバインダー式手帳の表紙に接合すると共に連結片の接合部を片方のバインダー式手帳の表紙に接合することにより、両方のバインダー式手帳を連続した見開きの状態に展開可能にすると共に、両方のバインダー式手帳を係止軸を中心にして互いに回転自在にしたことを特徴とするバインダー式連結手帳。
【請求項１０】
表紙連結片と連結片の連結部との各対接面に、表紙連結片における軸穴と連結片の連結部における軸穴とを中心とする一定半径で十字方向の４箇所に互いに嵌合する凹部と凸部とが形成されたことにより、両方の手帳を横方向に並べるか、一方の手帳に対して片方の手帳を９０度又は１８０度回転したとき、夫々の凹部と凸部とが着脱自在に係止されるようにしたことを特徴とする請求項９記載のバインダー式連結手帳。
【発明の詳細な説明】
【技術分野】
【０００１】
本発明は、バインダー式手帳を連結してなるバインダー式連結手帳に関する。
【背景技術】
【０００２】
従来から使用されているバインダー式手帳の基本的な構成は、特許文献１に示すように、一冊の手帳の背表紙の内側に１個のリング式バインダーを固定してなる構造を有するものである。このようなバインダー式手帳は、バインダーのリングを開くことによって、リングに綴じ込んである用紙を取り外すことができ、またバインダーのリングを閉じることによって用紙をリングに綴じ込むことが可能とされている。
【０００３】
ところで、特許文献１の「バインダー綴じ込み用ノート」と称する発明は、手帳のバインダーに綴じ込まれた台紙の外側辺に螺旋状の綴じ込み具が設けられ、この綴じ込み具を介して綴じ込み用ノートの紙片が取付けられたものである。
【０００４】
このような構成により、手帳を開くと共に、綴じ込み用ノートを開くと、バインダーの両左右に開かれた２頁と綴じ込み用ノートの１頁によって連続３頁の見開き状態にすることができる。
【０００５】
ところが、このバインダー綴じ込み用ノートは、バインダーに綴じ込まれた台紙に対して紙片が螺旋状の綴じ込み具で結合されているため、綴じ込み用ノートの各紙片を取り外すには、夫々の紙片を綴じ込み具から破り取る以外になく、綴じ込み用ノートの紙片を入れ替えたり、紙片の綴じ込み位置を変えたりすることは不可能であった。
【０００６】
また、特許文献２の「手帳用バインダー」と称する発明は、表紙カバーを構成する長尺のベースシートに間隔をあけて少なくとも３箇所の折返し部が設けられ、夫々の折返し部にファイリング具（バインダー）が固定されたものである。従って、例えば、ベースシートの３箇所にファイリング具が設けられている場合、夫々のファイリング具に用紙を取付けて見開くと、全部で連続４頁の見開き状態となる。
【０００７】
しかしながら、この手帳用バインダーによると、上記のように連続４頁の見開き状態とするのに、３個のファイリング具が必要となる。また、この手帳用バインダーに３個のファイリング具を取付けた場合、全部を閉じて重ねると、３冊のバインダー式手帳を重ねたような厚さとなる。従って、コンパクト性に欠けるものとなり、これをポケットやカバンに入れたりする際、嵩張ってしまい、収納性の面で不都合が生じる。
【０００８】
また、特許文献２の手帳用バインダーは、各ファイリング具の左右に用紙幅１枚分の間隔を空けて夫々のファイリング具が固定されているため、３個のファイリング具のうち、中央のファイリング具に綴じ込んで開いた頁と左右のファイリング具に綴じ込んで開いた頁とが重なり合うという不都合が生じる。このため、すべてのファイリング具に綴じ込んだ用紙を連続的に完全に見開いた状態にすることは不可能である。
【先行技術文献】
【特許文献】
【０００９】
【特許文献１】特開平１０−２９７１４６号公報
【特許文献２】特開２００１−２２５５８０号公報
【発明の概要】
【発明が解決しようとする課題】
【００１０】
本発明は、少なくとも２冊のバインダー式手帳を連結してなるバインダー式連結手帳であって、夫々のバインダーごとに綴じ込まれた用紙を完全に連続的に見開くことができ、手帳を閉じたときはコンパクトに収納することができるバインダー式連結手帳を提供することを目的とする。
【００１１】
また、従来のバインダー式手帳は、各用紙の片側のみに所定数の綴込穴が設けられていたため、用紙の裏表を反転した状態でバインダーに綴じ込むことは不可能であった。従って、本発明の他の目的として、用紙の裏表を反転した状態でバインダーに綴じ込むことを可能にしたバインダー式連結手帳を提供することを目的とする。
【００１２】
さらに、例えば、右手にペン等を持つ人がバインダーの左側の頁に右手を置いて物を書く際、バインダーのリングの高さが邪魔になって物が書きにくいという不都合が生じる。このため、本発明は、バインダーのリングの高さが邪魔にならないようにペン等で物を書くことができるようにしたバインダー式連結手帳を提供することを目的とする。
【課題を解決するための手段】
【００１３】
上記の目的を達成するために、本発明の請求項１のバインダー式連結手帳は、両側の表紙とその間に設けられた背表紙とを夫々の境界線で折曲げ自在に形成した手帳本体の背表紙の内側にリング式バインダーを固定してなるバインダー式手帳を少なくとも２冊設け、夫々の手帳を横方向に見開きの状態で左右に配列すると共に、左方の手帳の右側縦辺と右方の手帳の左側縦辺とを互いに接した状態にし、左右の手帳が互いに接する辺を対接辺として、一方の手帳の対接辺から他方の手帳の表紙へ延設してなる単体の連結片又は一方の手帳の表紙を延長してなる連結片を対接辺に沿って折曲げ自在に形成すると共に、連結片と該連結片に重なる他方の手帳の表紙の略中心とを係止軸で回転自在に結合してなることを特徴とする。
【００１４】
本発明の請求項２のバインダー式連結手帳は、請求項１において、連結片は、一方の手帳とは別体をなす単体の薄板部材を用いて形成され、該連結片の片側に小幅の接合部をとって一方の手帳の端部に接合すると共に、一方の.手帳の対接辺に沿って連結片を折曲げ自在に形成してなることを特徴とする。
【００１５】
本発明の請求項３のバインダー式連結手帳は、請求項１において、連結片は、一方の手帳の対接辺から延長して該手帳の表紙と一体的に構成とされ、該連結片を対接辺に沿って折り曲げ自在に形成してなることを特徴とする。
【００１６】
本発明の請求項４のバインダー式連結手帳は、請求項１、２又は３において、一方の手帳の対接辺から他方の手帳の表紙へ延設してなる単体の連結片又は一方の手帳の表紙を延長してなる連結片と、該連結片に重なる他方の手帳の表紙との各対接面に、係止軸を中心とする一定半径で十字方向の４箇所に互いに嵌合する凹部と凸部とが形成されたことにより、左右の手帳を横方向に並べるか、一方の手帳に対して片方の手帳を９０度又は１８０度回転したとき、夫々の凹部と凸部とが着脱自在に係止されるようにしたことを特徴とする。
【００１７】
本発明の請求項５のバインダー式連結手帳は、請求項１、２、３又は４において、リング式バインダーのリングに綴じ込むための所定数の綴込穴が、各用紙の左右両側に沿って形成されていることにより、各用紙の裏表を反転した状態でバインダーのリングに綴じ込み可能としたことを特徴とする。
【００１８】
本発明の請求項６のバインダー式連結手帳は、請求項１、２、３、４又は５において、リング式バインダーのリングに綴じ込んだ用紙を捲るのに用いる頁捲り用栞を備えたバインダー式連結手帳であって、該頁捲り用栞は、長尺の弾性線材を細幅の平行形状に折返し形成してなる線形状の端部にリング係合部を形成すると共に、該リング係合部の内側に他のリング係合部を形成し、該線形状の端部とその内側のリング係合部の夫々をバインダーに隣設された２個の各リングに遊びを有する状態で係合可能とし、該線形状の途中を折曲形成すると共に、該線形状におけるリング係合部の形成された反対側端部にカバーを装着してなることを特徴とする。
【００１９】
本発明の請求項７のバインダー式連結手帳は、請求項１、２、３、４又は５において、リング状バインダーのリングに綴じ込んだ用紙を捲るのに用いる頁捲り用栞を備えたバインダー式連結手帳であって、該頁捲り用栞は、バインダーに隣設された２個のリングを囲繞する環状部と、該環状部から延長されると共に途中で折曲されてなる長尺の本体部とを有し、該本体部の端部に摘み片を設けたことを特徴とする。
【００２０】
本発明の請求項８のバインダー式連結手帳は、請求項１、２、３、４、５、６又は７において、リング式バインダーのリングに綴じ込んだ用紙の下敷きとして用いることにより用紙とリングとの段差を少なくするようにしたリング段差防止用敷具を備えたバインダー式連結手帳であって、該リング段差防止用敷具は、リング式バインダーのリングに綴じ込むための綴込穴を片側に沿って形成した基板と、該基板の綴込穴の反対側に設けられた折曲線を介して折曲げ自在に形成した支持板と、該支持板の自由端側に設けた折曲線を介して小幅の２片をその中間の折曲線で折曲げ自在に形成した高さ調整片と、該高さ調整片の自由端側に設けた折曲線を介して折曲げ自在に形成した案内片とを備え、基板の下部に支持板を折り返した状態で、高さ調整片を断面山形状に形成した頂部の折曲線を基板の下面に当接するように折り曲げ、案内片に対して係止軸で回動自在に結合した操作片を基板に穿設された案内穴に挿通すると共に、係止軸を支持板に形成された案内孔に沿って移動するように係合し、操作片の側部に形成した係止溝と基板の案内穴に間隔をあけて形成した複数の係止溝とを操作片の押込み量に応じて互いに歯合し、基板の綴込穴をリング式バインダーのリングに綴じ込むことによって、該基板でバインダーのリングに綴じ込んだ用紙の下面を支持した状態とし、操作片の押込み量によって高さ調整片の高さを調整することにより支持板に対する基板の傾斜角を変え、用紙とリングとの段差を少なくするようにしたことを特徴とする。
【００２１】
本発明の請求項９のバインダー式連結手帳は、一方のバインダー式手帳の表紙に接合すべき表紙接合片と、他方のバインダー式手帳の表紙に接合すべき接合部と該接合部に対し折曲線を介して折曲げ自在に形成された連結部とを有する連結片とを備え、表紙接合片と連結片の連結部とを重ね合わせた状態で表紙接合片の略中心に形成された軸穴と連結片の連結部の略中心に形成された軸穴とを係止軸で回動自在に接合してなる連結具を形成し、表紙接合片を一方のバインダー式手帳の表紙に接合すると共に連結片の接合部を片方のバインダー式手帳の表紙に接合することにより、両方のバインダー式手帳を連続した見開きの状態に展開可能にすると共に、両方のバインダー式手帳を係止軸を中心にして互いに回転自在にしたことを特徴とする。
【００２２】
さらに、本発明の請求項１０のバインダー式連結手帳は、請求項９において、表紙連結片と連結片の連結部との各対接面に、表紙連結片における軸穴と連結片の連結部における軸穴とを中心とする一定半径で十字方向の４箇所に互いに嵌合する凹部と凸部とが形成されたことにより、両方の手帳を横方向に並べるか、一方の手帳に対して片方の手帳を９０度又は１８０度回転したとき、夫々の凹部と凸部とが着脱自在に係止されるようにしたことを特徴とする。
【発明の効果】
【００２３】
本発明のバインダー式連結手帳は、上記のように構成されているため、左右の手帳を見開いた状態にすると、左方の手帳の右側縦辺と右方の手帳の左側縦辺とが互いに接した状態に展開されることとなる。従って、各手帳のバインダーに複数枚の用紙を綴じ込んで、これらの用紙を左右に広げた状態にすると、全部で４頁分を連続的に見開いた状態にすることが可能となる。
【００２４】
また、本発明のバインダー式連結手帳は、一方の手帳の対接辺から延設されてなる連結片と、該連結片に重なる他方の手帳の表紙の略中心とを係止軸で回転自在に結合している。このため、左右の手帳を開いた状態で、一方の手帳に対して他方の手帳を係止軸周りに９０度回転すると、一方の手帳の頁を縦方向に見ると同時に、他方の手帳の頁を横方向に見るというように、表示する頁の角度を適宜に変えることが可能となる。
【００２５】
また、本発明のバインダー式連結手帳は、一方の手帳の対接辺から延設されてなる連結片と、該連結片に重なる他方の手帳の表紙との各対接面に、係止軸を中心とする一定半径で十字方向の４箇所に互いに嵌合する凹部と凸部とが形成されている。このような構成により、左右の手帳を横方向に並べるか、一方の手帳に対して片方の手帳を９０度又は１８０度回転したとき、夫々の凹部と凸部とが嵌合状態となって位置決めされ、さらに回動することによって嵌合した状態の凹部と凸部とを離脱することができる。
【００２６】
さらに、本発明のバインダー式連結手帳は、左右の手帳を見開いた状態から、連結片を対接辺で折曲げると共に、左右の手帳の表紙を閉じることによって、左右の手帳は背表紙を並べた状態となる。従って、この状態で本箱等に収納する際は、左右の手帳の背表紙が並んだ状態で表示されることとなる。
【００２７】
また、本発明のバインダー式連結手帳は、上記のように左右の手帳を閉じた状態にして、一方の手帳に対して他方の手帳を係止軸の周りに回動すると、一方の手帳の背表紙と他方の手帳の背表紙とが前後に交互に配置され、前後の合計厚さが略均等なものとなる。このため、連結手帳の全体がコンパクトなものとなって、ポケットやカバン等に収納する際に利便となる。
【００２８】
また、本発明のバインダー式連結手帳は、リング式バインダーのリングに綴じ込むための所定数の綴込穴が、各用紙の左右の両側に沿って形成されていることにより、各用紙の裏表を反転した状態でバインダーのリングに綴じ込むことが可能となる。このため、上記のように本発明の連結手帳の４頁分を連続的に見開いた状態で、特定の頁の裏面を表側にする等の必要に応じて、各用紙の裏表を反転した状態にしてバインダーのリングに綴じ込むことが可能となる。
【００２９】
また、本発明における頁捲り用栞によれば、バインダーの各リングを開き、隣設された２個のリングに線形状の端部とその内側に形成した各リング係合部を挿通して係合させた後にバインダーのリングを閉じると、頁捲り用栞のカバーを用紙から外方へ露出させた状態にし、栞として使用することができる。
【００３０】
この頁捲り用栞は、線形状の端部とその内側に形成し各リング係合部がバインダーに隣設された２個の各リングに遊びを有する状態で取付けられているため、手帳を閉じた状態にしたとき、用紙から露出したカバーを指先で摘んで頁捲り用栞を持ち上げることにより、頁捲り用栞が挟まれた箇所の頁を一挙に開けることが可能となる。
【００３１】
さらに、頁捲り用栞を隣設された２個のリングに取付けた状態で手動で回動させることにより、頁捲り用栞を手帳内の用紙の内方へと収納することができる。また、左右の手帳を閉じた状態にしてポケット等に入れると、頁捲り用栞のカバーの端部がポケットの底部等に押されて回動して手帳内の内方へと移動するため、カバーが手帳の内部へ収納された状態となる。
【００３２】
また、本発明による頁捲り用栞をより簡単な構造とすることも可能である。即ち、その構造として、バインダーに隣設された２個のリングを囲繞する環状部と、該環状部から延長されると共に途中で折曲されてなる長尺の本体部とを有し、該本体部の端部に摘み片を設けたものとすることも可能である。このような頁捲り用栞は、容易且つ安価に作成することが可能である。また、その構造において、部材同士に重なる箇所が生じることなく、薄形に形成することができるため、バインダーのリングに取り付けた状態で嵩張ることがなく、その分多くの用紙を取付けることが可能となる。
【００３３】
さらに、本発明におけるリング段差防止用敷具は、操作片の押込み量によって高さが変化するようにした高さ調整片を有し、この高さ調整片の高さ変化によって支持板に対する基板の傾斜角を変えることにより、用紙とリングとの段差を少なくすることが可能となる。
【００３４】
従って、例えば、右手にペン等を持つ人がバインダーの左側の頁に右手を置いて物を書く際、この左頁の用紙の下部にリング段差防止用敷具を敷いておくことにより、バインダーのリングの高さが邪魔になることがなく、左頁の用紙に物を書くことが容易となる。
【００３５】
さらに、本発明において、左右のバインダー式手帳の表紙に接合するようにした単品の連結具を構成することが可能である。この単品の連結具を用い、市販等による既存のバインダー式手帳を利用して、左右のバインダー式手帳を連続した見開きの状態に連結することが可能となる。また、このような左右のバインダー式手帳の連結状態において、左右のバインダー式手帳を互いに回転することによって、一方の手帳の背表紙と他方の手帳の背表紙とを前後に交互に配置し、前後の合計厚さを略均等にして、ポケットやカバン等にコンパクトに収納することも可能となる。
【図面の簡単な説明】
【００３６】
【図１】(ａ)は本発明における実施例１のバインダー式連結手帳を構成する左右の手帳の内側を見開き状態にした平面図であり、（ｂ）は(ａ)の左右を逆方向に反転して表紙の外側が見えるようにした平面図である。
【図２】本発明における実施例１のバインダー式連結手帳の分解平面図であり、（ａ）は左側の手帳の内側を見開いた平面図、(ｂ)は手帳とは別体に設けた場合の単体の連結片の平面図、(ｃ)は右側の手帳の内側を見開いた図、(ｄ)は内側を見開いた右側の手帳に連結片を一体的に形成した平面図である。
【図３】本発明における実施例１のバインダー式連結手帳の平面図であって、左右の手帳を見開いた状態で夫々のバインダーのリングに用紙を綴じ込んだ状態を示す。
【図４】（ａ）は図３に示すバインダー式連結手帳を下方端部から見た図であり、(ｂ)は左側の手帳の表紙と連結片とを回動自在に結合した係止軸の周辺を示す部分断面図であり、（ｃ）は左側の手帳の表紙と連結片とを回動自在に結合した他の実施例を示す係止軸の周辺の部分断面分解図である。
【図５】本発明における実施例１のバインダー式連結手帳の平面図であり、図１のように見開いた状態で左方の手帳を９０度回転した状態を示し、(ａ)は用紙を取り除いた状態、（ｂ）は用紙を各バインダーのリングに綴じ込んだ状態を示す。
【図６】本発明における実施例１のバインダー式連結手帳の上面図であり、(ａ)は２冊の手帳の背表紙を並べた状態を示し、（ｂ）は片側の手帳を１８０度回転することによって、夫々の手帳の背表紙を前後に交互に配するようにした状態を示す。
【図７】本発明のバインダー式連結手帳に用いる頁捲り用栞の各種態様を示す平面図であり、(ａ)は上端の円弧形のリング係合部の内側に輪形のリング係合部を有する短尺の頁捲り用栞であり、（ｂ）は上端の円弧形のリング係合部の内側に輪形のリング係合部を有する長尺の頁捲り用栞であり、（ｃ）は上端の円弧形のリング係合部の内側に円弧形のリング係合部を有する短尺の頁捲り用栞であり、（ｄ）は上端の円弧形のリング係合部の内側に円弧形のリング係合部を有する長尺の頁捲り用栞である。
【図８】(ａ)は本発明のバインダー式連結手帳の下方に長尺及び短尺の頁捲り用栞を取付けた部分平面図であり、（ｂ）は長尺及び短尺の頁捲り用栞を回動して頁の内部へ収納した状況を示す部分平面図であり、（ｃ）は長尺の頁捲り用栞を手帳の上方に取付けた状況を示す部分平面図である。
【図９】(ａ)は本発明におけるリング段差防止用敷具の側面図であり、（ｂ）は本発明のバインダー式連結手帳の左方の頁にリング段差防止用敷具を取付けた状態を示す側面図であり、（ｃ）は本発明のバインダー式連結手帳の右方の頁にリング段差防止用敷具を取付けた状態を示す側面図である。
【図１０】(ａ)は本発明におけるリング段差防止用敷具の展開図であり、（ｂ）は(ａ)のリング段差防止用敷具を組み立てた状態で操作片を操作するようにした平面図であり、（ｃ）はリング段差防止用敷具を組み立てた状態で操作片を回動して収納した状態を示す平面図である。
【図１１】本発明における実施例２のバインダー式連結手帳に用いた連結具を示す図であり、(ａ)は連結具の分解平面図、（ｂ）は組立て平面図、（ｃ）は組立て斜視図である。
【図１２】(ａ)、（ｂ）は、本発明における実施例２に係る連結具を用いてバインダー式連結手帳を作成した具体例を示す展開平面図である。
【図１３】本発明のバインダー式連結手帳に用いる頁捲り用栞の他の実施例であって、バインダーのリングに取り付けた状況を示す平面図である。
【図１４】（ａ）〜（ｄ）は、本発明のバインダー式連結手帳に用いる頁捲り用栞の他の実施例の各種態様を示す平面図である。
【図１５】（ａ）は本発明のバインダー式連結手帳を展開した平面図であり、（ｂ）はそのバインダー式連結手帳に用いる用紙の表示内容の他の実施例を示す平面図である。
【発明を実施するための形態】
【００３７】
以下、本発明の実施例について図面を参照しながら説明する。
【実施例１】
【００３８】
以下に述べる本実施例のバインダー式連結手帳１は、図１（ａ）、（ｂ）に示すように、連結片２と係止軸３を介して２冊のバインダー式手帳（以下、単に「手帳」と云う）４ａ、４ｂを連結した構成としてある。ただし、以下に説明する２冊の手帳４ａ、４ｂの連結方法を用いることによって、３冊以上の手帳を連結した構成とすることも可能である。
【００３９】
なお、一般的に、バインダー式手帳の両側の表紙のいずれを「表紙」と称し、いずれを「裏表紙」と称するかは特定し難いものであるため、本発明の説明においては、「表紙」と「裏表紙」の区別をすることなくいずれも「表紙」とし、その位置によって「右表紙」又は「左表紙」とすることがある。
【００４０】
また、本発明のバインダー式連結手帳１において、夫々の手帳４ａ、４ｂの形状又は大きさは完全に同一である必要はないが、左右の手帳４ａ、４ｂの形状又は大きさを左右対称に同一とすることにより、完成後のバインダー式連結手帳１の全体形状が綺麗に整ったものとなる。また、図６（ａ）、(ｂ)に示すように、左右の手帳４ａ、４ｂを閉じた状態にして、一方の手帳４ａに対して他方の手帳４ｂを回転した際の全体形状が綺麗に整ったものとなる。
【００４１】
各手帳４ａ又は４ｂの構成は、図１（ａ）、（ｂ）に示すように、両側の表紙５、５とその間に設けられた背表紙６とを夫々の境界線７で折曲げ自在に形成した手帳本体８を構成し、この手帳本体８の背表紙６の内側にリング式バインダー９を周知の固定具で固定した構成としている。
【００４２】
本実施例において、２冊の手帳４ａ、４ｂを連結片２を介して連結するには、図１（ａ）、（ｂ）に示すようにする。ただし、図１（ｂ）は図１（ａ）の左右を逆方向に反転して表紙の外側が見えるようにした平面図であり、図１（ａ）における左右の数字が、図１（ｂ）では逆の記載となる。従って、混乱を避けるために、以下に記載する説明の左右の関係は、図１（ａ）を参照しながら説明することとする。
【００４３】
即ち、図１（ａ）に示すように、本実施例のバインダー式連結手帳１は、夫々の手帳４ａ、４ｂの内側を横方向に見開きの状態で左右に配列すると共に、左方の手帳４ａの右側縦辺１０ａと右方の手帳４ｂの左側縦辺１０ｂとを互いに接した状態にする。ここで、説明の便宜上、左方の手帳４ａの右側縦辺１０ａと右方の手帳４ｂの左側縦辺１０ｂとが互いに接する辺を対接辺１０とする。そして、右方の手帳４ｂの対接辺１０から左方の手帳４ａの右表紙５ａへ延設されてなる連結片２を対接辺１０に沿って折曲げ自在に形成する。なお、連結片２の対接辺１０に沿う折曲線を２ａとする。また、連結片２と該連結片２に重なる左方の手帳４ａの右表紙５ａの略中心とを係止軸３で回転自在に結合する。
【００４４】
また、本実施例においては、図１(ａ)、（ｂ）に示すように、左右の手帳４ａ、４ｂのいずれにおいても、夫々の対接辺１０を有する側の表紙５ａ、５ｂの幅Ｌ２を対接辺１０を有しない側の表紙５、５の幅Ｌ１よりも数ｃｍ程度短く形成している。従って、図６に示すようにＬ１＞Ｌ２の関係となって、左右の手帳４ａ、４ｂを閉じたとき、左右の手帳４ａ、４ｂの内側で重なる表紙５ａ、５ｂが図示のように外側の表紙５、５よりも短くなる。
【００４５】
上記の構成は、図３又は図４（ａ）に示すように、左右の手帳４ａ、４ｂのバインダー９のリング９ａに用紙１２を綴じ込んだ状態で左右の手帳４ａ、４ｂを見開き状態にしたとき、左方の手帳４ａの右頁の用紙１２ｂと右方の手帳４ｂの左頁の用紙１２ｃとの隙間ｃが微小となるようにしたものである。このような構成により、上記の隙間ｃが微小となった隣設する用紙１２ｂ、１２ｃを見る際、これらの用紙１２ｂ、１２ｃが接近するため、見比べやすくなるという効果がある。
【００４６】
本実施例において、図２(ｂ)に示すように連結片２が単体の場合、右方の手帳４ｂの手帳本体８とは別体となる単体の合成樹脂等の薄板部材から形成され、この単体の連結片２の片側に小幅の接合部２ｂをとって右方の手帳４ｂの左表紙５ｂの端部５ｃに接着剤等により接合する構成としている。ただし、その逆に、連結片２を左方の手帳４ａの右表紙５ａの端部に接合して、該連結片２を右方の手帳４ｂの左表紙５ｂに延設し、該左表紙５ｂに連結片２を係止軸３で回転自在に結合するようにしてもよい。
【００４７】
また、本実施例において、連結片２は上記のように手帳４の表紙５とは別体の薄板部材を用いて形成され、該連結片２の片側に小幅の接合部２ｂをとって右方の手帳４ｂの左表紙５ｂの端部５ｃに接合するようにしてある。従って、図２（ｄ）に示す連結片２を単品で形成し、該連結片２の接合部２ｂを他の手帳の表紙の端部に接合し、また連結片２の穴１１ｂに係止軸３（図４（ｂ）参照）を用いて他の手帳の表紙に回動自在に結合することにより、本発明のバインダー式連結手帳１と同様の機能を有する手帳を作成することも可能である。
【００４８】
さらに、図２(ｄ)に他の構造の右方の手帳４ｃを示すように、連結片２を右方の手帳４ｃの対接辺１０から一体的に延長した構成とし、この連結片２を対接辺１０に沿って形成した折曲線２ａで折曲げ自在に構成し、該連結片２を図２(ａ)に示す左方の手帳４ａの右表紙５ａの穴１１ａに支持軸３（図４（ｂ）参照）を用いて結合することも可能である。このように連結片２を手帳４の表紙５と一体的に形成することによって、図２(ｂ)に示すように単体で構成した場合の接合部２ｂの厚さが不要となり、本発明のバインダー式連結手帳１を折り畳んだ際の厚さをコンパクトにすることが可能となる。
【００４９】
いずれにしても、本実施例では、左方の手帳４ａの右側縦辺１０ａと右方の手帳４ｂの左側縦辺１０ｂとが互いに接する辺を対接辺１０と称し、この対接辺１０の位置で連結片２に折曲線２ａを形成することによって、連結片２を対接辺１０に沿って折曲げ自在にした構成としている。
【００５０】
なお、図２（ａ）において左方の手帳４ａの表紙５ａに記した２点鎖線で示す対角線Ｔ、Ｔは、係止軸３を挿着するための穴１１ａが左方の手帳４ａの表紙５ａの中心に形成されたことを示すものである。ただし、上記のように左方の手帳４ａの右表紙５ａは、その左側の表紙５の幅Ｌ１を短くした幅Ｌ２としてあるが、係止軸３を挿着するための穴１１ａを形成するには、右表紙５ａを短縮していない幅Ｌ１を有する表紙の中心を取るのが望ましい。図２（ａ）の対角線Ｔ、Ｔは、このような本来有する表紙の幅Ｌ１による右表紙５ａの中心をとって穴１１ａを形成したものである。こうすることによって、図６（ａ）、（ｂ）に示すように、右方の手帳４ｂを回転したとき、左右の手帳４ａ、４ｂの重なり具合にずれが生じることなく、綺麗に重なったコンパクトな状態で衣服のポケット等に収納することが可能となる。なお、本発明において、左方の手帳４ａの右表紙５ａに形成する穴１１ａの位置は、上記のような厳密な位置にとらなくても、その表紙の略中心に形成することによって本発明の目的を達成することが可能である。
【００５１】
なお、本実施例において、連結片２と左方の手帳４ａの右表紙５ａの中心とを回転自在に結合するために用いた係止軸３は、小型のボルトとナットを組み合わせた構成としてもよいし、リベットのように頭部を有する金具等を用いてもよい。
【００５２】
いずれにしても、図４（ａ）、（ｂ）に示すように、係止軸３はその軸部３ａを左方の手帳４ａの右表紙５ａの略中心に形成した穴１１ａと連結片２に形成した穴１１ｂに挿入して、係止軸３の両端の頭部３ｂ、３ｂで係止するようにしている。
【００５３】
上記の構成により、図１（ａ）に示すように、左右の手帳４ａ、４ｂを展開した状態にすると、左方の手帳４ａの右側縦辺１０ａと右方の手帳４ｂの左側縦辺１０ｂとが互いに接した状態で見開きの状態となり、４頁分を連続的に見開いた状態にすることができる。また、図３及び図４（ａ）に示すように、左右の手帳４ａ、４ｂの夫々のバインダー９のリング９ａに用紙１２を閉じ込むと、４頁の各用紙１２ａ、１２ｂ、１２ｃ、１２ｄを連続的に見開いた状態にすることができる。
【００５４】
また、本発明のバインダー式連結手帳１は、図５(ａ)又は（ｂ）に示すように、左右の手帳４ａ、４ｂを開いた状態で、一方の手帳（例えば右方の手帳４ｂ）に対して他方の手帳（例えば左方の手帳４ａ）を係止軸３周りに９０度回転すると、例えば、一方の手帳（右方の手帳４ｂ）の各頁を縦長に見、他方の手帳（左方の手帳４ａ）の各頁を横長に見るというように、頁の表示する角度を自由に変えて見ることが可能となる。
【００５５】
さらに、本発明のバインダー式連結手帳１においては、図３に示すように、バインダー９のリング９ａに綴じ込むための所定数の綴込穴１３が、各用紙１２の左右の両側に沿って形成されている。このような構成により、各用紙１２の裏表を反転した状態でバインダー９のリング９ａに綴じ込むことが可能となる。このため、上記のように本発明のバインダー式連結手帳１の４頁分を連続的に見開いた状態にし、この状態で所定の頁の裏面を表側にする等、必要に応じて各用紙１２の裏表を反転した状態にしてバインダー９のリング９ａに綴じ込むことが可能となる。
【００５６】
そのような用紙１２の使用方法はユーザーの工夫次第で多様に考えられる。具体例を挙げると、図３のように、４頁の用紙１２ａ、１２ｂ、１２ｃ、１２ｄを連続的に見開いた状態にして、左方の頁から右方の頁へ日付を順に「９／１、９／２、９／３、９／４」と記すことによって、連続的に４日分の予定等を書き込む頁を一覧することが可能となる。そして、毎日、左右の手帳４ａ、４ｂの各頁の用紙１２ａ、１２ｂ、１２ｃ、１２ｄを左側に取換え移動することにより、将来に向かっての４日間の時間管理を常に見開きの状態で行うことが可能となる。
【００５７】
また、上記のような用紙１２の日付を記す頁の裏面を「備考欄」の頁にしておくと、用紙１２を反転するだけで、裏面の「備考欄」を表面に出すことができる。さらに、本実施例の用紙１２は、両側に綴込穴１３が設けられているため、バインダー９のリング９ａから外した用紙１２をその位置で反転した状態でリング９ａに綴じ込むことができる。
【００５８】
その例として、図３のバインダー式連結手帳１において、例えば、不図示の８／３１の用紙を反転することによってその裏面の「備考欄」を表面に出し、図３の左方から第２頁目の用紙１２ｂ（９／２の日付）を左方から第３頁目に移動すると共に、図３の左方から第３頁目の用紙１２ｃ（９／３の日付）を左方から第４頁目に移動したうえで、上記の「備考欄」の用紙を図３の左方から第２頁目に綴じ込むことによって、左方の頁から右方の頁へ順に「９／１、備考欄、９／２、９／３」とすることができる。これによって、左方の手帳４ａでは「９／１」に関する内容を「備考欄」に書き込むことができ、また同一日の予定と備考とを隣設した状態で見ることが可能となる。さらに、右方の手帳４ｂの左右の頁に「９／２、９／３」を記し、全部で３日分の予定等を一覧することが可能となる。
【００５９】
上記のように図３に示す用紙１２は、１頁に１日分の内容を書き込むようにしたものであるが、他の具体例として、図１５（ａ）、（ｂ）に示すように、１頁の用紙１２に１週間分のスケジュール等を書き込むように表示することも可能である。この場合、図１５（ｂ）に１枚の用紙１２を例示してあるように、その１頁内に、碁盤目状の細線４７の他に、各細線４７よりも太い線４８で、最上欄の横並び方向に１週間分の日数に対応する７マスの欄Ｗ１〜Ｗ７を設け、各欄Ｗ１〜Ｗ７に、左方から右方へ順次対応する日付を表示している。なお、図１５（ａ）、（ｂ）に示すように、日付に加えて曜日を記載するようにしてもよい。さらに、その１頁の縦方向に所定間隔をあけて他の細線４７よりも太い横線Ｌ１、Ｌ２…が設けられたことにより、各横線Ｌ１、Ｌ２…で仕切られた横方向に連続的な区分が形成されている。
【００６０】
また、上記のように１頁に１週間ごとの表示をした用紙１２を各週ごとに連続的に設け、図１５（ａ）に示すように、各頁を、例えば左方から右方に向けて新しい日付となるように配列すると、見開き４頁分、即ち、見開き４週間分の内容を一覧することが可能となる。
【００６１】
また、各用紙１２は左右に所定数の綴込穴１３、１３…が設けられているため、各バインダー９を開き、例えば図１５（ａ）の左方から第２頁目の用紙１２ｂを第１頁目の用紙１２ａの位置に取り替え、このようにして各頁を右方の頁から左方の頁へと順次取り替えることによって、所望の連続４週分を見開いた状態で一覧することが可能となる。
【００６２】
さらに、上記の本実施例によれば、縦方向の任意の区分、例えば横線Ｌ１と横線Ｌ２との間の区分、横線Ｌ２と横線Ｌ３との間の区分等に、何らかの事柄、例えば仕事上の受注に関する事柄、訪問に関する事柄、又は趣味に関する事柄というように使用者が任意に決めて、その事柄を日付ごとに記載すれば、ある特定の事柄に関する過去、現在、未来の内容を一覧で確認することが可能となる。
【００６３】
なお、本実施例で用いたリング式バインダー９は通常市販されている周知の構造によるものである。例えば、本実施例で各図に示すバインダー９は、用紙１２の側部に形成された綴込穴１３が８個の穴からなる８穴タイプの用紙１２に対応するものであり、全部で８個の開閉構造のリング９ａを有する。本発明では、このリング式バインダー９のリング９ａを６個のものにし、用紙を６穴タイプにすることも可能である。また、夫々のリング９ａはバインダー９の操作片９ｂを押下げることによって開く構造とされている。
【００６４】
なお、バインダー９の操作片９ｂの他の構造としては、不図示であるが、交差する２片の操作片を回動させることによってリング９ａを開閉するようにしたものも周知である。本発明ではリング式バインダー９のリング９ａを開閉し得る構造なら特に限定されるものではない。
【００６５】
さらに、本実施例のバインダー式連結手帳１によれば、図６（ａ）に示すように、左方の手帳４ａの右表紙５ａの外側縦辺１０ａに沿って連結片２を折曲線２ａで折曲げると共に、左右の手帳４ａ、４ｂを閉じることによって、左右の手帳４ａ、４ｂは夫々の背表紙６ａ、６ｂを並べた状態となる。従って、このようにバインダー式連結手帳１の夫々の背表紙６ａ、６ｂを並べた状態にして本箱等に収納しておくことができる。
【００６６】
ところで、上記のように連結手帳１の左右の手帳４ａ、４ｂの背表紙６ａ、６ｂを横に並べた状態にすると、背表紙６ａ、６ｂを横に並べた側の合計厚さＤ１が、背表紙６ａ、６ｂのない後方の合計厚さよりも大きな幅となり、前後の厚さに偏りが生じるため、全体のコンパクト性の面では不利となる。
【００６７】
従って、図６（ｂ）に示すように、一方の手帳（例えば左方の手帳４ａ）に対して他方の手帳（例えば右方の手帳４ｂ）を係止軸３の周りに１８０度回転すると、一方の手帳４ａの背表紙６ａと他方の手帳４ｂの背表紙６ｂとが前後に交互に配置されたものとなる。これによって、前後の厚さＤ２が略均等になり、図６（ａ）に示す背表紙６ａ、６ｂを並べた側の合計厚さＤ１に比して縮小され（Ｄ１＞Ｄ２）、連結手帳１の全体がコンパクトなものとなり、ポケットやカバン等に収納する際に利便となる。
【００６８】
また、本実施例においては、図１、図２に示すように、右方の手帳４ｂの対接辺１０から左方の手帳４ａの右表紙５ａへ延設されてなる連結片２と、該連結片２に重なる左方の手帳４ｂの右表紙５ａとの各対接面に、係止軸３を中心とする一定半径で十字方向の４箇所（図１又は図２参照）に互いに嵌合する凹部１４ａと凸部１４ｂ（図３（ｂ）参照）とが形成されている。
【００６９】
このような構成により、左右の手帳４ａ、４ｂを横方向に並べるか、一方の手帳に対して片方の手帳を９０度又は１８０度回転したとき、夫々の凹部１４ａと凸部１４ｂとが着脱自在に係止されるようにしている。なお、このような構成において、左方の手帳４ａの右表紙５ａと連結片２のいずれの対接面に凹部１４ａ又は凸部１４ｂを形成するかは適宜決めることができる。
【００７０】
なお、上記の構成のように、凹部１４ａ及び凸部１４ｂを合成樹脂製等の手帳４の表紙５の表面又は合成樹脂製からなる連結片２の表面に形成した場合、長期間の使用によって凹部１４ａ及び凸部１４ｂ等が磨耗し、各凹部１４ａと凸部１４ｂとが確実に係合できなくなるおそれがある。このような不都合を解消するために、図４（ｃ）に示す構造としてもよい。即ち、左方の手帳４ａの右表紙５ａと連結片２との各対接面に上下の金属板３１ａ、３１ｂを固定具３２、３２・・・で固定し、上下の金属板３１ａ、３１ｂの夫々に係止軸３を中心とする一定半径で十字方向の４箇所に互いに嵌合する凹部１４ａと凸部１４ｂとを形成する。このような構成によって、長期間の使用でも磨耗しない構造とすることができる。
【００７１】
上記のいずれの構成においても、左右の手帳４ａ、４ｂを横方向に並べるか、一方の手帳に対して片方の手帳を９０度又は１８０度回転したとき、夫々の凹部１４ａと凸部１４ｂとが嵌合状態となって位置決めされ、さらに回動することによって嵌合した状態の凹部１４ａと凸部１４ｂとを離脱することが可能となる。
【００７２】
図７（ａ）〜（ｄ）は、本発明のバインダー式連結手帳に用いる頁捲り用栞１５（１５Ａ〜１５Ｄ）の各種態様を示す平面図である。このうち、図７（ａ）、（ｂ）に示す頁捲り用栞１５Ａ、１５Ｂは、針金のような長尺の金属線材又は合成樹脂等による弾性線材を用い、この線材を細幅の平行形状に折り返し形成してなる線形状の端部に、折返形状による円弧形のリング係合部１６ａが形成され、その内側の離間位置に輪形のリング係合部１６ｂが形成されている。さらに、この線形状の途中に折曲形状１５ｂを形成し、この線形状におけるリング係合部１６ａ、１６ｂの形成された反対側端部にカバー１７を装着するカバー装着部１５ａが形成されている。なお、図７（ａ）の頁捲り用栞１５Ａは、カバー装着部１５ａを短尺に形成し、図７（ｂ）の頁捲り用栞１５Ｂは、カバー装着部１５ａを長尺に形成したものである。また、いずれの頁捲り用栞１５Ａ、１５Ｂにおいても、折曲部１５ｂから下方のカバー装着部１５ａを斜め方向に傾斜した形状としている。
【００７３】
一方、図７（ｃ）、（ｄ）に示す頁捲り用栞１５Ｃ、１５Ｄは、上記同様に、針金のような長尺の金属線材又は合成樹脂等による弾性線材を用い、この線材を細幅の平行形状に折返し形成してなる線形状の上端に円弧形のリング係合部１６ａを形成し、その内側の離間位置に上記同様の円弧形状のリング形状部１６ｃを形成している。さらに、この線形状の途中に折曲形状１５ｂを形成し、その下方にカバー１７を装着するカバー装着部１５ａを形成してなるものである。そして、図７（ｃ）の頁捲り用栞１５Ｃは、カバー装着部１５ａを短尺に形成し、図７（ｄ）の頁捲り用栞１５Ｄはカバー装着部１５ａを長尺に形成している。また、これらの頁捲り用栞１５Ｃ、１５Ｄにおいても、折曲部１５ｂから下方のカバー装着部１５ａを斜め方向に傾斜した形状としている。
【００７４】
なお、この図７（ｃ）、（ｄ）に示す頁捲り用栞１５Ｃ、１５Ｄは、上記の図７（ａ）、（ｂ）に示す頁捲り用栞１５Ａ、１５Ｂと異なり、端部に上下に離間して形成された円弧形のリング係合部１６ａ、１６ｃは、夫々のＵ字形をなす折返片が互いに相対的に移動又は離脱する構成とされ、頁捲り用栞１５Ｃ、１５Ｄの全体形状を柔軟に変形し、又はその形状を弾性的に復帰することが可能とされている。
【００７５】
上記のような構成による頁捲り用栞１５（１５Ａ〜１５Ｄ）によれば、図８（ａ）、（ｂ）、（ｃ）に示すように、バインダー９に隣設された２個の各リング９ａ、９ａに遊びを有する状態で取付けることができ、夫々の頁捲り用栞１５のカバー１７をバインダー９に綴じ込んだ用紙１２から外方へ露出させた状態にすることが可能となる。
【００７６】
また、図８（ａ）に示すように、バインダー９の最端部に隣設するリング９ａ、９ａに対して、図７(ａ)又は図７（ｃ）に示す短尺の頁捲り用栞１５Ａ、１５Ｃを使用し、バインダー９の内方に設けられた隣設するリング９ａ、９ａに図７（ｂ）又は図７（ｄ）に示す長尺の頁捲り用栞１５Ｂ、１５Ｄを使用するとよい。なお、頁捲り用栞１５（１５Ａ〜１５Ｄ）の夫々の全体長は、バインダー９のリング９ａの使用数、間隔、大きさ等によって設計されるべきものであるが、上記のように頁捲り用栞１５をバインダー９に隣設されたリング９ａ、９ａに取付けた状態で、各頁捲り用栞１５Ａ〜１５Ｄのカバー１７がバインダー９に綴じ込まれた用紙１２の端部から適度に露出するように各頁捲り用栞１５Ａ〜１５Ｄの全体長を設計するとよい。
【００７７】
また、各頁捲り用栞１５（１５Ａ〜１５Ｄ）において、カバー装着部１５ａに伸縮の可能なビニール樹脂等によるカバー１７を移動可能に装着しておけば、カバー装着部１５ａに対するカバー１７の装着位置を調整することが可能となり、カバー１７の装着位置によって各頁捲り用栞１５Ａ〜１５Ｄの全体長を調整することも可能となる。
【００７８】
上記のように構成された各頁捲り用栞１５において、長尺の頁捲り用栞１５Ｂ、１５Ｄの折曲形状１５ｂを短尺の頁捲り用栞１５Ａ、１５Ｃの折曲形状１５ｂよりも長く形成することにより、例えば、図８（ａ）に示すように取付けられた短尺の頁捲り用栞１５Ａに対して長尺の頁捲り用栞１５Ｄが重ならないようにすることができる。これによって、折り畳んだ本発明のバインダー式連結手帳１が嵩張らないものとなる。
【００７９】
さらに、各頁捲り用栞１５の途中に折曲形状１５ｂを形成してあるため、図８（ａ）に示すように、リング係合部１６ａ、１６ｂをバインダー９のリング９ａ、９ａに取付けた際、各頁捲り用栞１５のカバー１７が他のリング９ａやバインダーの操作片９ｂに当らないようにすることが可能となる。
【００８０】
また、図８(ｂ)に示すように、手帳を閉じた状態にしたとき（図８(ｂ)は説明の便宜上、手帳を開いた状態にしている）、用紙１２から露出したカバー１７を指先で摘んで頁捲り用栞１５を持ち上げることにより、頁捲り用栞１５が挟まれた箇所の頁を一挙に開けることが可能となる。
【００８１】
また、頁捲り用栞１５のリング係合部１６ａ、１６ｂがバインダー９に隣設された２個の各リング９ａ、９ａを遊びを有する状態で係合するため、頁捲り用栞１５を並設した２本のリング９ａ、９ａに取付けた状態で、遊びの範囲内で回動させることが可能となり、各頁捲り用栞１５を手帳内の用紙１２の内方へと収納することが可能となる。さらに、図７（ａ）〜(ｄ)に示すように、頁捲り用栞１５の折曲部１５ｂから下方のカバー装着部１５ａを斜め方向に傾斜した形状とすることにより、左右の手帳４ａ、４ｂを閉じた状態にして衣服のポケット等に入れた際に、頁捲り用栞１５のカバー１７の端部がポケットの底部等に押されて回動し（図８(ｂ)参照）、手帳内の用紙１２の内方へと移動し、カバー１７が手帳の内部へ収納された状態となる。
【００８２】
さらに、他の形態による頁捲り用栞について図１３又は図１４を参照しながら説明する。
図１３に示す頁捲り用栞４１は、バインダー９に隣設された２個のリング９ａ、９ａの外周を一括して囲繞する環状部４２を形成することによって簡単な構成としたものである。また、このような頁捲り用栞４１は、図１４（ａ）、（ｂ）に示すように細径の金属又は合成樹脂等による線材を折曲形成するか、又は図１４（ｃ）、（ｄ）に示すように合成樹脂成形により一体成形することが可能である。
【００８３】
その構造は、いずれの頁捲り用栞４１においても、バインダー９に隣設された２個のリング９ａ、９ａ（図１３参照）を囲繞する環状部４２と、該環状部４２から延長されると共に途中で折曲されてなる長尺の本体部４３とを有している。具体的例として、細径の線材を使用した場合は、図１４（ａ）、（ｂ）に示すように、２個のリング９ａ、９ａ（図１３参照）を囲繞する縦長形状の環状部４２を形成し、その環状部４２の側部から線材を略平行に延長して略直角に折曲すると共に、傾斜状に折曲してなる本体部４３を形成する。また、本体部４３の下端にて線材の端部４４ａ、４４ｂの一方または両方を折り返し、この線材の端部４４ａ、４４ｂを隠蔽するようにカバー４５を被せることによって摘み片４６としている。また、図１４（ａ）に示すように本体部４３の長さを短尺に形成し、又は図１４（ｂ）に示すように本体部４３の長さを長尺に形成することにより、図１３に示すように、バインダー９に隣設された２個のリング９ａ、９ａの位置に応じて取り付けることができる。いずれの頁捲り用栞４１においても、図１３に示すように、摘み片４６を頁の端部から露出することによって所定頁の目印とし、又はこの摘み片４６を指先で摘むことによって、所定の頁を捲ることが可能となる。
【００８４】
さらに、図１４（ｃ）、（ｄ）に示すように、頁捲り用栞４１を合成樹脂成形により形成した場合、一体成形によって摘み片４６を成形することが可能となり、図７に示すようなカバー１７が不要となる。なお、この合成樹脂成形により形成した頁捲り用栞４１もまた、図１４（ｃ）又は図１４（ｄ）に示すように本体部４３の長さを短尺又は長尺に形成することにより、バインダー９に隣設された２個のリング９ａ、９ａの位置に対応して取り付けることが可能となる。
【００８５】
上記のように、図１３又は図１４（ａ）乃至（ｄ）に示す頁捲り用栞４１は簡単且つ容易に作製することができ、その構造において部材同士に重なる箇所が生じることがなく、薄形に形成することができる。このため、バインダー９のリング９ａ、９ａに取り付けた状態で嵩張ることがなく頁の間に挟みこまれ、その分、多くの用紙を取付けることが可能となる。
【００８６】
さらに、本実施例においては、リング式バインダー９のリング９ａに綴じ込んだ用紙１２の下敷きとしてリング段差防止用敷具１８が構成されている。このリング段差防止用敷具１８は、図９（ａ）、(ｂ)、又は図１０（ａ）、(ｂ)に示すように、リング式バインダー９のリング９ａに綴じ込むための綴込穴１９を片側に沿って設けた基板２０と、該基板２０の綴込穴１９の反対側に設けられた折曲線２１を介して折曲げ自在に形成した支持板２２と、該支持板２２の自由端側に設けた折曲線２３を介して小幅の２片２４ａ、２４ｂをその中間の折曲線２５で折曲げ自在に形成した高さ調整片２６と、該高さ調整片２６の自由端側に設けた折曲線２７を介して折曲げ自在に形成した案内片２８とを備えるものである。
【００８７】
さらに、このリング段差防止用敷具１８を、図１０（ｃ）の展開状態から、図１０（ｂ）の状態に組み立てるには、図９（ｂ）に示すように、基板２０の下部に支持板２２を折曲線２１で折り返した状態で、２片２４ａ、２４ｂからなる高さ調整片２６を断面山形状に形成した頂部の折曲線２５を基板２０の下面に当接するように折り曲げる。次いで、案内片２８に対して係止軸２９で回動自在に結合したＬ字形の操作片３０を基板２０に穿設された案内穴２０ａに挿通すると共に、係止軸２９を支持板２２に形成された案内孔２２ａに沿って移動可能に係合する。
【００８８】
また、操作片３０の側部に形成した係止溝３０ａと基板２０の案内穴２０ａに間隔をあけて形成した複数の係止溝２０ｂ、２０ｂとを操作片３０の押込み量に応じて互いに歯合し、図中の矢印で示す方向への押込み量により高さが変化する高さ調整片２６によって支持板２２に対する基板２０の傾斜角を変えることが可能となる。このように、基板２０の綴込穴１９をバインダー９のリング９ａに綴じ込むことによって、該基板２０でバインダー９のリング９ａに綴じ込んだ用紙１２の下面を支持した状態とし、操作片３０の押込み量によって高さ調整片２６の高さを調整することにより支持板２２に対する基板２０の傾斜角を変え、用紙１２とリング９ａとの段差を少なくすることが可能となる。
【００８９】
また、図１０（ｂ）に示すように、Ｌ字形に形成された操作片３０を外側に引き出して、２片２４ａ、２４ｂからなる高さ調整片２６を平坦に潰した状態にし、操作片３０を回動することによって、操作片３０を係止軸２９周りに回動すると、該操作片３０を基板２０内に完全に収納した状態とすることができる。従って、リング段差防止用敷具１８をバインダー９のリング９ａから取り外し、コンパクトに所持することが可能となる。
【００９０】
ちなみに、図９（ｂ）において、リング式バインダー９のリング９ａにリング段差防止用敷具１８の綴込穴１９を綴じ込むと共に、リング段差防止用敷具１８を右方の頁の用紙１２ｂの下部に敷いた場合、バインダー９のリング９ａの高さと用紙１２ｂの最上面との段差ｈは微小となる。この段差ｈと、リング段差防止用敷具１８を敷かない左方の頁の段差Ｈとを比較すると、段差Ｈのほうが段差ｈよりも一目して大きいことは明瞭である。
【００９１】
なお、本実施例のリング段差防止用敷具１８に関する効果を左手にペン等を持つ場合と右手にペン等を持つ場合に分けて説明する。図９（ｂ）に示すように、バインダー９の左頁の用紙１２ａの下部にリング段差防止用敷具１８を敷くと、右手にペン等を持つ人が左頁の用紙１２ａの上で物を書く場合、バインダー９と用紙１２ａとの段差がほとんど邪魔にならずに書くことが可能となる。
【００９２】
また、その逆に、図９(ｃ)に示すように、バインダー９の右頁の用紙１２ｂの下部にリング段差防止用敷具１８を敷くと、左手にペン等を持つ人が左頁の用紙１２ｂの上で物を書く場合、バインダー９と用紙１２ｂとの段差がほとんど邪魔にならずに書くことが可能となる。
【実施例２】
【００９３】
本実施例では、図１２（ａ）又は（ｂ）に示すように、左右のバインダー式手帳４ａ、４ｂの表紙５ａ、５ｂに接合する単品の連結具３３を構成することにより、この単品の連結具３３を用いて、市販等の既存のバインダー式手帳を利用して、左右の手帳４ａ、４ｂを連続した見開きの状態に構成することができる。また、左右のバインダー式手帳４ａ、４ｂを互いに回転することが可能となる。
【００９４】
即ち、本実施例の連結具３３の構成は、図１１(ａ)〜(ｃ)、図１２（ａ）、（ｂ）に示すように、一方のバインダー式手帳（本実施例においては「左方の手帳」）４ａの表紙５ａに接合すべき表紙接合片３４と、他方のバインダー式手帳（本実施例においては「右方の手帳」）４ｂの表紙５ｂに接合すべき接合部３５ａと該接合部３５ａに対し折曲線３５ｃを介して折曲げ自在に形成された連結部３５ｂとを有する連結片３５とを備える。そして、表紙接合片３４と連結片３５の連結部３５ｂとを重ね合わせた状態にして、表紙接合片３４の略中心に形成された軸穴３６ａと、連結部３５ｂの略中心に形成された軸穴３６ｂとを実施例１と同様の係止軸３７で回動自在に接合することによって連結具３３を形成する。
【００９５】
このような連結具３３により、図１２（ａ）又は（ｂ）に示すように、表紙接合片３４を左方の手帳４ａの表紙５ａに接合すると共に連結片３５の接合部３５ａを右方の手帳４ｂの表紙５ｂに接合する。このような構成において、図１２（ａ）の形態は、左方の手帳４ａの表紙５ａと右方の手帳４ｂの表紙５ｂとの夫々の幅を元の状態のままで使用するか、やや短尺に切断して、左方の手帳４ａの表紙５ａに表紙接合片３４をホッチキス３８等で接合すると共に、右方の手帳４ｂの表紙５ｂと連結片３５の接合部３５ａとをホッチキス３８等で接合したものである。このような構成により、市販等による既存のバインダー式手帳をほとんど未加工の状態で利用することによって、実施例１と同様の機能を有するバインダー式連結手帳１を作成することが可能となる。
【００９６】
また、図１２（ｂ）の形態は、左方の手帳４ａの表紙５ａと右方の手帳４ｂの表紙５ｂとの夫々の幅を短尺に切断して、左方の手帳４ａの表紙５ａに表紙接合片３４を接着剤３９等で接合すると共に、右方の手帳４ｂの表紙５ｂと連結片３５の接合部３５ａとを接着剤３９等で接合したものである。このような構成により、各表紙５ａ、５ｂと連結具３３との重なる部分が削減され、その分、連結した左右の手帳４ａ、４ｂの全体厚さを薄く形成することができる。また、このような構成においても、実施例１と同様の機能を有するバインダー式連結手帳１を作成することが可能となる。
【００９７】
なお、上記の構成において、左方の手帳４ａの表紙５ａと表紙接合片３４の接合方法、及び右方の手帳４ｂの表紙５ｂと連結片３５の接合部３５ａとの接合方法にホッチキス３８や接着剤３９を使用しているが、図１２（ａ）において接着剤３９を使用し、図１２（ｂ）においてホッチキス３８を使用してもよいし、他の接合方法を使用してもよい。
【００９８】
上記の構成により、単品の連結具３３を用いて、図３と同様に、左右の手帳４ａ、４ｂを連続した見開きの状態に展開可能にすることができる。また、図５(ａ)、（ｂ）に示すものと同様に、左右の手帳４ａ、４ｂを係止軸３７を中心にして互いに回転自在にすることができるため、頁の表示する角度を自由に変えて見ることが可能となる。
【００９９】
また、本実施例においても、図１１(ａ)に示すように、表紙連結片３４と連結片３５の連結部３５ｂとの各対接面に、表紙連結片３４における軸穴３６ａと連結片３５の連結部３５ｂにおける軸穴３６ｂとを中心とする一定半径で十字方向の４箇所に互いに嵌合する凹部４０ａと凸部４０ｂとを形成した構成とすることが可能である。このような構成により、図３に示すものと同様に、両方の手帳４ａ、４ｂを横方向に並べるか、図５(ａ)、（ｂ）に示すものと同様に、一方の手帳（例えば右方の手帳４ｂ）に対して片方の手帳（例えば左方の手帳４ａ）を９０度又は１８０度回転し、夫々の凹部４０ａと凸部４０ｂとを着脱自在に係止することが可能となる。また、本実施例においても、図６（ａ）、（ｂ）に示すものと同様に、一方の手帳（例えば左方の手帳４ａ）に対して他方の手帳（例えば右方の手帳４ｂ）を１８０度回転することにより、本実施例のバインダー式連結手帳をポケットの中に収納する際等において、コンパクトに収納することが可能となる。
【０１００】
さらに、上記の凹部４０ａと凸部４０ｂを有する構成において、本実施例においては不図示であるが、実施例１で採用した図４(ｃ)に示すように、左方の手帳４ａの右表紙５ａと連結片２との各対接面に上下の金属板３１ａ、３１ｂを固定具３２、３２・・・で固定した構成とし、これらの上下の金属板３１ａ、３１ｂの夫々に、上記のように係止軸３を中心とする一定半径で十字方向の４箇所に互いに嵌合する凹部１４ａ（本実施例の凹部４０ａに相当する）と凸部１４ｂ（本実施例の凸部４０ｂに相当する）とを形成してもよい。このような構成によって、長期間の使用でも凹部１４ａと凸部１４ｂとが磨耗しない構造とすることができる。
【０１０１】
上記のように、本実施例は、連結具３３を用いて左右の手帳４ａ、４ｂを連結した後の形態は、実施例１のバインダー式連結手帳１と同様の機能を有することになる。また、本実施例において、図７及び図８に示す各種の頁捲り用栞１５、図９及び図１０に示すリング段差防止用敷具１８を使用し、実施例１で説明したのと同様の効果を得ることも可能である。
【産業上の利用可能性】
【０１０２】
本発明のバインダー式連結手帳は、少なくとも２冊のバインダー式手帳を連結してなるバインダー式連結手帳であって、夫々のバインダーごとに綴じ込まれた用紙を完全に連続的に見開くことができ、手帳を閉じたときはコンパクトに収納することができるバインダー式連結手帳として利用可能である。
【符号の説明】
【０１０３】
１  バインダー式連結手帳
２  連結片
２ａ  折曲線
２ｂ  接合部
３  係止軸
３ａ  軸部
３ｂ  頭部
４  バインダー式手帳（手帳）
４ａ  左方の手帳
４ｂ  右方の手帳
４ｃ  他の構造の右方の手帳
５  表紙
５ａ  右表紙
５ｂ  左表紙
５ｃ  表紙の端部
６  背表紙
６ａ  左方の手帳の背表紙
６ｂ  右方の手帳の背表紙
７  境界線
８  手帳本体
９  リング式バインダー
９ａ  バインダーのリング
９ｂ  バインダーの操作片
１０  対接辺
１０ａ  右側縦辺
１０ｂ  左側縦辺
１１ａ  表紙の穴
１１ｂ  連結片の穴
１２  用紙
１２ａ、１２ｂ、１２ｃ、１２ｄ  ４頁の各用紙
１３  綴込穴
１４ａ  凹部
１４ｂ  凸部
１５（１５Ａ〜１５Ｄ）  頁捲り用栞
１５ａ  カバー装着部
１５ｂ  折曲形状
１６ａ  円弧形のリング係合部
１６ｂ  輪形のリング係合部
１６ｃ  円弧形のリング係合部
１７  カバー
１８  リング段差防止用敷具
１９  綴込穴
２０  基板
２０ａ  案内穴
２０ｂ  係止溝
２１  基板の綴込穴の反対側の折曲線
２２  支持板
２２ａ  案内孔
２３  支持板の自由端側の折曲線
２４ａ、２４ｂ  小幅の２片
２５  折曲線
２６  高さ調整片
２７  高さ調整片の自由端側の折曲線
２８  案内片
２９  係止軸
３０  操作片
３０ａ  係止溝
３１ａ、３１ｂ  金属板
３２  固定具
３３  連結具
３４  表紙接合片
３５  連結片
３５ａ  接合部
３５ｃ  折曲線
３５ｂ  連結部
３５  連結片
３６ａ  軸穴
３６ｂ  軸穴
３７  係止軸
３８  ホッチキス
３９  接着剤
４０ａ  凹部
４０ｂ  凸部
４１  頁捲り用栞
４２  環状部
４３  本体部
４４ａ、４４ｂ  線材の端部
４５  カバー
４６  摘み片
４７  碁盤目状の細線
４８  細線よりも太い線
Ｄ１、Ｄ２  バインダー式連結手帳の合計厚さ
Ｈ、ｈ  リングの高さと用紙の高さの段差
Ｌ１、Ｌ２…  細線よりも太い横線
Ｔ  対角線
Ｗ１〜Ｗ７  １週間分の７マスに関する欄
【図１】
2011098559.tif 000003
【図２】
2011098559.tif 000004
【図３】
2011098559.tif 000005
【図４】
2011098559.tif 000006
【図５】
2011098559.tif 000007
【図６】
2011098559.tif 000008
【図７】
2011098559.tif 000009
【図８】
2011098559.tif 000010
【図９】
2011098559.tif 000011
【図１０】
2011098559.tif 000012
【図１１】
2011098559.tif 000013
【図１２】
2011098559.tif 000014
【図１３】
2011098559.tif 000015
【図１４】
2011098559.tif 000016
【図１５】
2011098559.tif 000017